(57)【特許請求の範囲】
【請求項１】
位置座標検出用電磁波を発信する位置検出用タブレットと、先端部に電磁波受信用アンテナが設けられたタッチペンと、プログラムが記録された情報記憶媒体を着脱可能に接続するコネクタ部とを有する電子装置とともに使用する表示タブレット装置であって、
前記表示タブレット装置は、前記位置検出用タブレット上に着脱可能に装着される表示タブレットと、前記タッチペン先端部に着脱可能に装着されるキャップとを備え、
前記表示タブレットは、表示パネル面と、磁性粉を移動可能に収納する空間とを備え、前記磁性粉は初期状態において前記空間の底部に位置し、前記表示パネル面側に移動したとき移動状態が保持されるように構成されており、
前記キャップは、先端部に磁石が設けられており、前記磁石は、前記タッチペンの先端部のアンテナよりも小型で、前記キャップが前記タッチペンの先端部に装着されたときに前記アンテナの中央に位置するように設けられており、
前記位置検出用タブレット上に前記表示タブレットが装着され、前記タッチペンの先端部に前記キャップが装着されているとき、前記表示パネル面に前記キャップの先端部を近接して移動させる操作に応じて、前記磁性粉が前記磁石の磁力により前記表示パネル面に移動して当該移動軌跡に沿って保持され、移動状態が保持された磁性粉によって線、文字、図形等が表示されるとともに、前記位置検出用タブレットから発信された位置座標検出用電磁波が前記表示タブレットを介して前記アンテナによって受信され、前記移動軌跡に対応する位置座標情報が検出され、電子装置への操作指示情報として入力されるように構成されてなることを特徴とする表示タブレット装置。
【請求項２】
消去磁界を印加して、前記磁性粉を初期状態に戻して消去する消去手段をさらに有することを特徴とする請求項１記載の表示タブレット装置。
【請求項３】
前記表示タブレットは、前記座標位置検出用タブレットからの電磁波を遮断しない厚さでほぼ均一に減衰することを特徴とする請求項１記載の表示タブレット装置。
【請求項４】
位置座標検出用電磁波を発信する位置検出用タブレットと、
前記位置検出用タブレット上に着脱可能に装着される表示タブレットと、
先端部に電磁波受信用アンテナと磁石が設けられたタッチペンと、
前記タッチペンの先端部に装着可能な形状のキャップと、
プログラムが記録された情報記憶媒体を着脱可能に接続するコネクタ部と、を有し、
前記表示タブレットは、表示パネル面と、磁性粉を移動可能に収納する空間とを備え、前記磁性粉は初期状態において前記空間の底部に位置し、前記表示パネル面側に移動したとき移動状態が保持されるように構成されており、
前記キャップは、先端部に磁石が設けられており、前記磁石は、前記タッチペンの先端部のアンテナよりも小型で、前記キャップが前記タッチペンの先端部に装着されたときに前記アンテナの中央に位置するように設けられており、
前記位置検出用タブレット上に前記表示タブレットが装着されているとき、前記表示パネル面に前記タッチペンの先端部を近接して移動させる操作に応じて、前記磁性粉が前記磁石の磁力により前記表示パネル面に移動して当該移動軌跡に沿って保持され、移動状態が保持された磁性粉によって線、文字、図形等が表示されるとともに、前記位置検出用タブレットから発信された位置座標検出用電磁波が前記表示タブレットを介して前記アンテナによって受信され、前記移動軌跡に対応する位置座標情報が検出され、電子装置への操作指示情報として入力されるように構成されてなることを特徴とする電子装置。
【請求項５】
請求項４記載の電子装置によりモニタ画面に画像を描画する画像描画方法において、前記タッチペンの移動軌跡に応じた前記指示情報に基づいて、前記表示タブレットの表示パネルに描画される図形と実質的に同じ図形を前記モニタ画面に描画することを特徴とする画像描画方法。
【請求項６】
請求項４記載の電子装置に装着される前記情報記憶媒体であって、前記タッチペンの移動軌跡に応じた指示情報に基づいて、前記表示タブレットに描画される図形と実質的に同じ図形をモニタ画面に描画するプログラムが記憶されていることを特徴とする情報記憶媒体。
【発明の詳細な説明】
【０００１】
【発明の属する技術分野】
本発明は、タブレットにタッチペンを近接することにより、所望の指示情報を入力する電子装置に着脱可能な表示タブレット装置に関する。
【０００２】
【従来の技術】
家庭用のビデオゲーム装置は、近年多種多様な興趣溢れるゲームが開発され、娯楽として人気が非常に高いものがある。そのようなビデオゲーム装置の一種として、主に幼児を対象としたビデオゲーム装置が開発されている。
このようなビデオゲーム装置として、幼児が興味をもって遊戯することができるように、絵本タイプのカートリッジを採用したものが知られている。絵本をタッチペンで指示することにより、ゲーム画面を切換えたり、モニタ画面に表示されたゲーム画面の特定の位置をタッチペンで指示することにより様々なゲームを行うことができる。また、絵筆で紙に絵を描くようにタブレットをタッチペンでなぞることにより、モニタ画面に自在に絵を描くことができる。
【０００３】
【発明が解決しようとする課題】
しかしながら、従来のビデオゲーム装置では、タブレットをタッチペンでなぞると、モニタ画面に描いた軌跡が描かれるが、タブレットに何も描かれないため、モニタ画面に描かれた軌跡を見ながらタブレットに絵を描くことになり、不自然であると共に、絵が書きづらかった。
【０００４】
本発明の目的は、タブレットにタッチペンを近接して所望の指示情報を入力する電子装置をタッチペンの軌跡を残すようにすることができる表示タブレット装置を提供することにある。
本発明の他の目的は、タブレットにタッチペンを近接して所望の指示情報を入力する電子装置であって、タッチペンの軌跡を残すことができる電子装置を提供することにある。
【０００５】
本発明の更に他の目的は、タブレットにタッチペンを近接して所望の指示情報を入力する電子装置であって、タッチペンの軌跡を残すことができる電子装置に適した画像描画方法を提供することにある。
本発明の更に他の目的は、タブレットにタッチペンを近接して所望の指示情報を入力する電子装置であって、タッチペンの軌跡を残すことができる電子装置に適した情報記憶媒体を提供することにある。
【０００６】
【課題を解決するための手段】
上記目的は、位置座標検出用電磁波を発信する位置検出用タブレットと、先端部に電磁波受信用アンテナが設けられたタッチペンと、プログラムが記録された情報記憶媒体を着脱可能に接続するコネクタ部とを有する電子装置とともに使用する表示タブレット装置であって、前記表示タブレット装置は、前記位置検出用タブレット上に着脱可能に装着される表示タブレットと、前記タッチペン先端部に着脱可能に装着されるキャップとを備え、前記表示タブレットは、表示パネル面と、磁性粉を移動可能に収納する空間とを備え、前記磁性粉は初期状態において前記空間の底部に位置し、前記表示パネル面側に移動したとき移動状態が保持されるように構成されており、前記キャップは、先端部に磁石が設けられており、前記磁石は、前記タッチペンの先端部のアンテナよりも小型で、前記キャップが前記タッチペンの先端部に装着されたときに前記アンテナの中央に位置するように設けられており、前記位置検出用タブレット上に前記表示タブレットが装着され、前記タッチペンの先端部に前記キャップが装着されているとき、前記表示パネル面に前記キャップの先端部を近接して移動させる操作に応じて、前記磁性粉が前記磁石の磁力により前記表示パネル面に移動して当該移動軌跡に沿って保持され、移動状態が保持された磁性粉によって線、文字、図形等が表示されるとともに、前記位置検出用タブレットから発信された位置座標検出用電磁波が前記表示タブレットを介して前記アンテナによって受信され、前記移動軌跡に対応する位置座標情報が検出され、電子装置への操作指示情報として入力されるように構成されてなることを特徴とする表示タブレット装置によって達成される。
【０００７】
上述した表示タブレット装置において、消去磁界を印加して、前記磁性粉を初期状態に戻して消去する消去手段をさらに有するようにしてもよい。
上述した表示タブレット装置において、前記表示タブレットは、前記座標位置検出用タブレットからの電磁波を遮断しない厚さでほぼ均一に減衰するようにしてもよい。
【０００９】
上記目的は、位置座標検出用電磁波を発信する位置検出用タブレットと、前記位置検出用タブレット上に着脱可能に装着される表示タブレットと、先端部に電磁波受信用アンテナと磁石が設けられたタッチペンと、前記タッチペンの先端部に装着可能な形状のキャップと、プログラムが記録された情報記憶媒体を着脱可能に接続するコネクタ部と、を有し、前記表示タブレットは、表示パネル面と、磁性粉を移動可能に収納する空間とを備え、前記磁性粉は初期状態において前記空間の底部に位置し、前記表示パネル面側に移動したとき移動状態が保持されるように構成されており、前記キャップは、先端部に磁石が設けられており、前記磁石は、前記タッチペンの先端部のアンテナよりも小型で、前記キャップが前記タッチペンの先端部に装着されたときに前記アンテナの中央に位置するように設けられており、前記位置検出用タブレット上に前記表示タブレットが装着されているとき、前記表示パネル面に前記タッチペンの先端部を近接して移動させる操作に応じて、前記磁性粉が前記磁石の磁力により前記表示パネル面に移動して当該移動軌跡に沿って保持され、移動状態が保持された磁性粉によって線、文字、図形等が表示されるとともに、前記位置検出用タブレットから発信された位置座標検出用電磁波が前記表示タブレットを介して前記アンテナによって受信され、前記移動軌跡に対応する位置座標情報が検出され、電子装置への操作指示情報として入力されるように構成されてなることを特徴とする電子装置によって達成される。
【００１０】
上記目的は、上述した電子装置によりモニタ画面に画像を描画する画像描画方法において、前記タッチペンの移動軌跡に応じた前記指示情報に基づいて、前記表示タブレットの表示パネルに描画される図形と実質的に同じ図形を前記モニタ画面に描画することを特徴とする画像描画方法によって達成される。
上記目的は、上述した電子装置に装着される情報記憶媒体であって、前記タッチペンの移動軌跡に応じた前記タブレットへの指示情報に基づいて、前記表示タブレットに描画される図形と実質的に同じ図形をモニタ画面に描画するプログラムが記憶されていることを特徴とする情報記憶媒体によって達成される。
【００１１】
【発明の実施の形態】
本発明の一実施形態を図面を参照しながら説明する。
（ビデオゲーム装置の概要）
最初に、本実施形態のビデオゲーム装置の概要について図１を用いて説明する。図１は、ビデオゲーム装置に本発明の一実施形態による磁性体タブレットと磁性体ペンとを装着して遊戯している状態を示す斜視図である。
【００１２】
ゲーム装置本体１０のお絵描きタブレット２４上には、磁性体タブレット１００が載置され、タッチペン２８のペン先には磁性体ペン２００が装着されている。ゲーム装置本体１０には絵本タイプのソフトウエアカートリッジ１２が装着され、接続コード９２を介してモニタ９０が接続されている。
遊戯者は、図１に示すように、タッチペン２８により磁性体タブレット１００上をなぞると、磁性体タブレット１００に文字や図形等の絵が描かれる。タッチペン２８の軌跡はお絵描きタブレット２４によっても検出され、磁性体タブレット１００に描かれた絵と同じ絵がモニタ９０にも表示される。
【００１３】
次に、本実施形態のビデオゲーム装置を構成する各部材について説明する。
（ゲーム装置本体）
本実施形態のビデオゲーム装置のゲーム装置本体について図２を用いて説明する。
本実施形態のビデオゲーム装置は、折り畳み式のゲーム装置本体１０に絵本タイプのソフトウエアカートリッジ１２を装着するものである。図２に示すように、ゲーム装置本体１０の底蓋１４から上蓋１６を外して開き、その内側のカートリッジスロット１８にソフトウエアカートリッジ１２を差し込む。
【００１４】
ゲーム装置本体１０の底蓋１４内側には、左側に方向ボタン２０と実行ボタン２２が設けられ、中央にお絵描きタブレット２４が設けられ、右側にタッチペンホルダ２６が設けられている。
方向ボタン２０及び実行ボタン２２は、遊戯者が操作するものであって、方向ボタン２０により上下左右の４方向を指示し、実行ボタン２２により実行指示を与える。タッチペンホルダ２６は、タッチペン２８を保持する。タッチペン２８は、お絵描きタブレット２４に触って、絵本ソフトを操作するために用いられる。タッチペン２８の先端にはペンボタン２８ａが設けられている。遊戯者はペンボタン２８ａを押すことにより指示を与える。
【００１５】
お絵描きタブレット２４は、電磁誘導方式によりタッチペン２８が近接している位置を検出する。お絵描きタブレット２４には、平行する複数のアンテナ線が縦横に張られており、これらアンテナ線から電波を順次発信する。タッチペン２８は、お絵描きタブレット２４のアンテナ線から発せられる電波を受信する。その受信レベルのピークとなるアンテナ線の位置がタッチペン２８の近接位置として検出される。遊戯者はペンボタン２８ａを押すことにより、その位置に基づいた指示を与える。
【００１６】
ゲーム装置本体１０の上蓋１６内側には、中央に絵本タイプのソフトウエアカートリッジ１２が装着される絵本タブレット３２が設けられている。この絵本タブレット３２は、お絵描きタブレット２４と同様の電磁誘導方式により、タッチペン２８が近接した位置を検出する。絵本タブレット３２にも平行する複数のアンテナ線が縦横に張られており、これらアンテナ線から電波を順次発信する。タッチペン２８は、絵本タブレット３２のアンテナ線から発せられる電波を受信して、近接位置を検出する。
【００１７】
絵本タブレット３２の左側下部には電源をオンオフするためのパワースイッチ３４が設けられている。絵本タブレット３２の右側下部にはソフトウエアカートリッジ１２が差し込まれるカートリッジスロット１８が設けられている。装着されたソフトウエアカートリッジ１２は、リジェクトボタン３６を押すことによりカートリッジスロット１８から取り外すことができる。
【００１８】
絵本タブレット３２内の上部右側にはページセンサ３８が設けられている。ソフトウエアカートリッジ１２の絵本のどのページ４２が開かれているかをページセンサ３８により検出する。絵本の各ページ４２の右上部には切り込みが形成され、ページ順に切り込み幅を広くしている。このようにすることにより、開かれているページに応じて遮蔽するセンサ数が異なり、現在開かれているページを検出することができる。
【００１９】
ソフトウエアカートリッジ１２は、左縁部の綴じリング４０により複数ページ４２を綴じた絵本のような基本形態をしている。各ページ４２にはゲームプログラムに対応した絵が描かれている。ソフトウエアカートリッジ１２下部の基板収納部５０には回路基板（図示せず）が収納され、回路基板には、ゲームプログラムを格納したプログラムＲＯＭ（図示せず）が搭載されている。
【００２０】
次に、本実施形態のビデオゲーム装置のハードウエアの構成を図３を用いて説明する。
ゲーム装置本体１０について説明する。ＭＰＵ６０はビデオゲーム装置全体を制御する。ＲＡＭ６２はＭＰＵ６０のワーク用メモリである。ビデオディスプレイプロセッサ（ＶＤＰ）６４は背景やキャラクタ等の描画処理を制御する。映像情報はビデオＲＡＭ６６に書き込まれる。ビデオディスプレイプロセッサ６４からの映像信号は映像端子７０からモニタ９０に出力される。
【００２１】
音声合成ＬＳＩ（ＡＤＰＣＭ）７２はキャラクタがしゃべる言葉等のあらゆる音声を合成する。ゲームに応じた音声を合成して発音する。ビデオディスプレイプロセッサ６４からの音声信号と音声合成ＬＳＩ７２からの音声信号を混合して、音声端子７６を介してモニタ９０に出力する。
コントローラ７８は、方向ボタン２０、実行ボタン２２、タッチペン２８、ペンボタン２８ａ、ページセンサ３８の状態を監視して、遊戯者の操作による入力情報をＭＰＵ６０に出力する。
【００２２】
コントローラ７８は、アナログスイッチ８０を介して、絵本タブレット３２、お絵描きタブレット２４を駆動して、遊戯者の操作により入力情報をタッチペン２８から受け、その検出信号からタッチペン２８の位置を決定し、その入力位置情報をＭＰＵ６０に出力する。
これらＭＰＵ６０、ＲＡＭ６２、ビデオディスプレイプロセッサ６４、音声合成ＬＳＩ７２、コントローラ７８は、アドレスバス８４、データバス８６、コントロールバス８８により接続されている。
【００２３】
ソフトウエアカートリッジ１２では、ゲームプログラムを格納したプログラムＲＯＭ５４が回路基板４８に搭載されている。ソフトウエアカートリッジ１２は、コネクタ４９、８２を介してゲーム装置本体１０と接続され、アドレスバス８４、データデータバス８６、コントロールバス８８がそれぞれ接続される。なお、電源ライン（図示せず）もコネクタ４９、８２を介してソフトウエアカートリッジ１２に接続される。
【００２４】
（磁性体タブレット）
次に、本実施形態による磁性体タブレットについて図４及び図５を用いて説明する。図４（ａ）は磁性体タブレットの斜視図であり、図４（ｂ）は磁性体タブレットの断面図である。図５は磁性体タブレットの使用方法の説明図である。
本実施形態の磁性体タブレット１００は、図４（ａ）に示すように、矩形の表示パネル１０２の周囲が額縁状の枠体１０４により補強されている。表示パネル１０２の大きさは、ゲーム装置本体１０のお絵描きタブレット２４とほぼ同じ大きさである。枠体１０４の手前側の縁部には、消去用レバー１０６と、消去用レバー１０６が摺動する溝１０８が形成されている。
【００２５】
表示パネル１０２は、図４（ｂ）に示すように、セパレータ１１０の上下を保護板１１２、１１４により挟んだ断面構造をしている。上側のセパレータ１１２は透明である。軌跡を表示するための液状磁性体１１６は、粘性のある液体、例えば、油中に砂鉄を混合したものである。液状磁性体１１６がセパレータ１１０の下側に位置している領域では、表示パネル１０２の保護板１１２からはセパレータ１１０しか見えないが、液状磁性体１１６がセパレータ１１０の上側に位置すると、表示パネル１０２の保護板１１２から液状磁性体１１６が黒く見える。下側の保護板１１４下には、消去用レバー１０６により左右に移動する消去用磁石１１８が位置している。
【００２６】
図５（ａ）に示すように、ペン先に磁性体ペン２００が装着されたタッチペン２８が、表示パネル１０２の保護板１１２上をなぞると、液状磁性体１１６がセパレータ１１０上に移動し、タッチペン２８が離れても、そのままの状態で保持される。したがって、表示パネル１０２にタッチペン２８の軌跡が黒色の線として描かれる。
【００２７】
消去用レバー１０６を左右に移動すると、図５（ｂ）に示すように、消去用磁石１１８が保護板１１４下で左右に移動する。消去用磁石１１８の磁力により液状磁性体１１６は全面にわたってセパレータ１１０の下側に移動し、表示パネル１０２に描かれた絵が消去される。
なお、磁性体タブレット１００はお絵描きタブレット２４上に装着されているので、お絵描きタブレット２４からの電磁波を遮断しない厚さである必要がある。磁性体タブレット１００を装着するとお絵描きタブレット２４からの電磁波の減衰は避けられないが、位置検出感度が劣化しないように、電磁波が一様に減衰するよう厚さなどを同じにして減衰特性を一様にしている。
【００２８】
（磁性体ペン）
次に、本実施形態による磁性体ペンの種々の具体例について図６乃至図１１を用いて説明する。
図６及び図７に示す磁性体ペンは、既存のビデオゲーム装置のタッチペン２８の先にかぶせるタイプのものである。
【００２９】
図６の磁性体ペン２００は、プラスチック製のキャップ２０２の先端に小型の磁石２０４が取り付けられている。キャップ２０２の先端内面に、タッチペン２８の先端のペンボタン２８ａをはめ込む。ペンボタン２８ａと磁性体ペン２００とが一体的に動く。
遊戯者が、磁性体ペン２００が取り付けられたタッチペン２８を持って、磁性体タブレット１００の表示パネル１０２をなぞると、磁石２０４の磁力により絵が描かれると共に、アンテナによりお絵描きタブレット２４からの電磁波を受信して位置検出される。遊戯者がタッチペン２８のペン先を押すと、ペンボタン２８ａが磁性体ペン２００と一体的に押される。
【００３０】
図７の磁性体ペン２００は、ゴム製のキャップ２０６の先端に小型の磁石２０４が取り付けられている。キャップ２０６の胴部は部分的に蛇腹２０６ａが形成されている。磁性体ペン２００は、キャップ２０６の胴部をタッチペン２８の先端近傍の胴部に装着固定する。キャップ２０６の胴部には蛇腹２０６ａが形成されているので、磁石２０４を含むキャップ２０６の先端部だけがペンボタン２８ａと共に動く。
【００３１】
遊戯者が、磁性体ペン２００が取り付けられたタッチペン２８を持って、磁性体タブレット１００の表示パネル１０２をなぞると、磁石２０４の磁力により絵が描かれると共に、アンテナによりお絵描きタブレット２４からの電磁波を受信して位置検出される。遊戯者がタッチペン２８のペン先を押すと、ペンボタン２８ａがキャップ２０６の先端部が共に動く。
【００３２】
図６及び図７に示す磁性体ペン２００の取付位置について、図８について説明する。図８（ａ）〜（ｃ）はタッチペン２８を先端側から図である。
タッチペン２８の先端側内部の構造を図８（ａ）に示す。タッチペン２８内部には回路基板２８ｂが設けられている。回路基板２８ｂの先端側に層状のアンテナ２８ｃが形成されている。回路基板２８ｂ上のアンテナ２８ｃ及びその他の回路素子（図示せず）をシールドするためにシールド板２８ｄが設けられている。
【００３３】
タッチペン２８のペン先に大きな磁石が設けられると、磁石によりお絵描きタブレット２４からの電磁波が減衰して位置座標の検出が困難となる。
そこで、本実施形態では、図８（ｂ）に示すように、磁石２０４をアンテナ２８ｃよりも小型にし、しかも正確に中央に位置するようにした。磁石２０４の大きさとしては、２ｍｍ程度の大きさであることが望ましい。
【００３４】
なお、小型の磁石２０４を用いても、図８（ｃ）に示すように、中央からアンテナ２８ｃ側にずれると電磁波の減衰が大きくなり、お絵描きタブレット２４の位置検出が困難となることがある。
図９及び図１１に示す磁性体ペンは、タッチペン２８の先端に磁石を取り付けた一体型のタイプのものであり、既存のビデオゲーム装置のタッチペン２８と交換して用いられる。
【００３５】
図９のタッチペン２８は、内部の回路基板２８ｂの先端側のアンテナとは反対側の面に磁石２１０を取り付けている。図１０に示すように、タッチペン内部には回路基板２８ｂが設けられ、回路基板２８ｂの先端側に層状のアンテナ２８ｃが形成され、回路基板２８ｂ上のアンテナ２８ｃ及びその他の回路素子（図示せず）をシールドするためにシールド板２８ｄが設けられている。磁石２１０は、回路基板２８ｂのアンテナ２８ｃと反対側の面に固定されている。
【００３６】
遊戯者が、磁石が取り付けられたタッチペン２８を持って、磁性体タブレット１００の表示パネル１０２をなぞると、磁石２１０の磁力により絵が描かれると共に、アンテナ２８ｃによりお絵描きタブレット２４からの電磁波を受信して位置検出される。遊戯者がタッチペン２８のペン先を押すと、ペンボタン２８ａが押される。
【００３７】
図１１のタッチペン２８は、タッチペン２８の先端のペンボタン２８ａに小型の磁石２１２を一体成型で埋め込んでいる。
遊戯者が、磁石が取り付けられたタッチペン２８を持って、磁性体タブレット１００の表示パネル１０２をなぞると、磁石２１２の磁力により絵が描かれると共に、アンテナ２８ｃによりお絵描きタブレット２４からの電磁波を受信して位置検出される。遊戯者がタッチペン２８のペン先を押すと、ペンボタン２８ａが押される。
【００３８】
（電磁波の検出方法）
次に、本実施形態による電磁波の検出方法について図１２及び図１３を用いて説明する。図１２は本実施形態による電磁波の検出回路の回路図であり、図１３は本実施形態による電磁波の検出方法の説明図である。
前述したように、磁性体タブレット１００を装着すると、お絵描きタブレット２４からの電磁波が減衰する。本実施形態では電磁波が減衰しても位置検出が可能なように構成されている。
【００３９】
図１２に、本実施形態による電磁波の検出回路を示す。アンテナ２００には、検出信号を増幅する初段アンプ２２２が接続されている。初段アンプ２２２には、増幅された検出信号を濾波するセラミックフィルタ２２４が接続されている。セラミックフィルタ２２４には、濾波された検出信号から位置検出を行うアナログＩＣ２２６が接続されている。アナログＩＣ２２６には位置補正のために可変抵抗２２８が接続されている。
【００４０】
図１３（ａ）は、アンテナ２２０による検出信号が初段アンプ２２２により増幅され、セラミックフィルタ２２４により濾波され、アナログＩＣ２２６への入力信号を表している。
タッチペン２８がお絵描きタブレット２４に充分近接していて磁性体タブレット１００による減衰がない場合、大きな入力信号Ｓ１が得られる。この入力信号Ｓ１に対しては、図１３（ａ）に示すような比較的大きなしきい値レベルＶ１を設定する。この入力信号Ｓ１に対するアナログＩＣ２２６の出力信号Ｓ３は、図１３（ｂ）に示すように、時刻Ｔ１で立ち下がり、時刻Ｔ２で立ち上がる信号となる。したがって、検出時刻Ｔは
Ｔ＝（Ｔ１＋Ｔ２）÷２
となる。
【００４１】
お絵描きタブレット２４に磁性体タブレット１００が装着され、お絵描きタブレット２４からの電波が減衰した場合、小さな入力信号Ｓ２が得られる。この入力信号Ｓ２に対しては、図１３（ａ）に示すような比較的小さなしきい値レベルＶ２を設定する。この入力信号Ｓ２に対するアナログＩＣ２２６の出力信号Ｓ４は、図１３（ｂ）に示すように、時刻Ｔ３で立ち下がり、時刻Ｔ４で立ち上がる信号となる。したがって、検出時刻Ｔ′は
Ｔ′＝（Ｔ３＋Ｔ４）÷２
となる。
【００４２】
このようにすれば、図１３（ｂ）から明らかなように、大きな入力信号Ｓ１であっても、小さな入力信号Ｓ２であっても、ほぼ同じ検出時刻となる（Ｔ＝Ｔ′）。
このように、本実施形態のように入力信号の大きさに応じた大きさにしきい値レベルを設定すれば、入力信号の大きさが変動しても安定した位置検出が可能である。
【００４３】
本発明は上記実施形態に限らず種々の変形が可能である。
例えば、上記実施形態では幼児用ビデオゲーム装置を用いたが、他の構成のゲーム装置に本発明を適用してもよい。
また、ゲーム装置に限らず、電子的に絵を書く電子タブレットのような電子装置に本発明を適用してもよい。
【００４４】
【発明の効果】
以上の通り、本発明のように、位置座標検出用電磁波を発信する位置検出用タブレットと、先端部に電磁波受信用アンテナが設けられたタッチペンと、プログラムが記録された情報記憶媒体を着脱可能に接続するコネクタ部とを有する電子装置とともに使用する表示タブレット装置であって、表示タブレット装置は、位置検出用タブレット上に着脱可能に装着される表示タブレットと、タッチペン先端部に着脱可能に装着されるキャップとを備え、表示タブレットは、表示パネル面と、磁性粉を移動可能に収納する空間とを備え、磁性粉は初期状態において空間の底部に位置し、表示パネル面側に移動したとき移動状態が保持されるように構成されており、キャップは、先端部に磁石が設けられており、磁石は、タッチペンの先端部のアンテナよりも小型で、キャップがタッチペンの先端部に装着されたときにアンテナの中央に位置するように設けられており、位置検出用タブレット上に表示タブレットが装着され、タッチペンの先端部にキャップが装着されているとき、表示パネル面にキャップの先端部を近接して移動させる操作に応じて、磁性粉が磁石の磁力により表示パネル面に移動して当該移動軌跡に沿って保持され、移動状態が保持された磁性粉によって線、文字、図形等が表示されるとともに、位置検出用タブレットから発信された位置座標検出用電磁波が表示タブレットを介してアンテナによって受信され、移動軌跡に対応する位置座標情報が検出され、電子装置への操作指示情報として入力されるように構成されているので、タブレットにタッチペンを近接して所望の指示情報を入力する電子装置に対し、タッチペンの軌跡を残すようにすることができ、しかも、磁石による電磁波の減衰を最小限にとどめることができる。
【００４６】
また、本発明のように、位置座標検出用電磁波を発信する位置検出用タブレットと、位置検出用タブレット上に着脱可能に装着される表示タブレットと、先端部に電磁波受信用アンテナと磁石が設けられたタッチペンと、タッチペンの先端部に装着可能な形状のキャップと、プログラムが記録された情報記憶媒体を着脱可能に接続するコネクタ部と、を有し、表示タブレットは、表示パネル面と、磁性粉を移動可能に収納する空間とを備え、磁性粉は初期状態において空間の底部に位置し、表示パネル面側に移動したとき移動状態が保持されるように構成されており、キャップは、先端部に磁石が設けられており、磁石は、タッチペンの先端部のアンテナよりも小型で、キャップがタッチペンの先端部に装着されたときにアンテナの中央に位置するように設けられており、位置検出用タブレット上に表示タブレットが装着されているとき、表示パネル面にタッチペンの先端部を近接して移動させる操作に応じて、磁性粉が磁石の磁力により表示パネル面に移動して当該移動軌跡に沿って保持され、移動状態が保持された磁性粉によって線、文字、図形等が表示されるとともに、位置検出用タブレットから発信された位置座標検出用電磁波が表示タブレットを介してアンテナによって受信され、移動軌跡に対応する位置座標情報が検出され、電子装置への操作指示情報として入力されるように構成されてなる電子装置に対し、タッチペンの軌跡を残すようにすることができ、しかも、磁石による電磁波の減衰を最小限にとどめることができる。
【００４９】
また、本発明のように、タッチペンの移動軌跡に応じたタブレットへの指示情報に基づいて、表示タブレットに描画される図形と実質的に同じ図形をモニタ画面に描画するようにすれば、表示タブレットを見ながら絵を描くことができ、自然な操作で絵を描くことができる。
【図面の簡単な説明】
【図１】本発明の一実施形態によるビデオゲーム装置の概要を示す斜視図である。
【図２】本発明の一実施形態によるビデオゲーム装置のゲーム装置本体の斜視図である。
【図３】本発明の一実施形態によるビデオゲーム装置のブロック図である。
【図４】本発明の一実施形態による磁性体タブレットを示す図である。
【図５】本発明の一実施形態による磁性体タブレットの使用方法の説明図である。
【図６】本発明の一実施形態による磁性体ペンの具体例を示す斜視図である。
【図７】本発明の一実施形態による磁性体ペンの具体例を示す斜視図である。
【図８】本発明の一実施形態による磁性体ペンの取付位置の説明図である。
【図９】本発明の一実施形態によるタッチペンの具体例を示す斜視図である。
【図１０】本発明の一実施形態によるタッチペンの具体例の構造の説明図である。
【図１１】本発明の一実施形態によるタッチペンの具体例を示す斜視図である。
【図１２】本発明の一実施形態による電磁波の検出回路の回路図である。
【図１３】本発明の一実施形態による電磁波の検出方法の説明図である。
【符号の説明】
１０…ゲーム装置本体
１２…ゲームカートリッジ
１４…底蓋
１６…上蓋
１８…カートリッジスロット
２０…方向ボタン
２２…実行ボタン
２４…タブレット
２６…タッチペンホルダ
２８…タッチペン
２８ａ…ペンボタン
２８ｂ…回路基板
２８ｃ…アンテナ
２８ｄ…シールド板
３２…絵本装着部
３４…パワースイッチ
３６…イジェクトボタン
３８…ページセンサ
４０…綴じリング
４２…ページ
４９…コネクタ
５０…基板収納部
５４…プログラムＲＯＭ
６０…ＭＰＵ
６２…ＲＡＭ
６４…ＶＤＰ
６６…ビデオＲＡＭ
７０…映像端子
７２…ＡＤＰＣＭ
７６…音声端子
７８…コントローラ
８０…アナログスイッチ
８２…コネクタ
８４…アドレスバス
８６…データバス
８８…コントロールバス
９０…モニタ
１００…磁性体タブレット
１０２…表示パネル
１０４…枠体
１０６…消去用レバー
１０８…溝
１１０…セパレータ
１１２、１１４…保護板
１１６…液状磁性体
１１８…消去用磁石
２００…磁性体ペン
２０２…キャップ
２０４…磁石
２０６…キャップ
２０６ａ…蛇腹
２１０…磁石
２１２…磁石
２２０…アンテナ
２２２…初段アンプ
２２４…セラミックフィルタ
２２６…アナログＩＣ
２２８…可変抵抗
【図１】
0003903543.tif 000002
【図２】
0003903543.tif 000003
【図３】
0003903543.tif 000004
【図４】
0003903543.tif 000005
【図５】
0003903543.tif 000006
【図６】
0003903543.tif 000007
【図７】
0003903543.tif 000008
【図８】
0003903543.tif 000009
【図９】
0003903543.tif 000010
【図１０】
0003903543.tif 000011
【図１１】
0003903543.tif 000012
【図１２】
0003903543.tif 000013
【図１３】
0003903543.tif 000014